(57)【要約】【課題】商品を入手したユーザに対して、簡単且つ即時に景品の当否結果を提供することのできる当否結果提供方法及び当否結果提供システムを提供する。【解決手段】商品を入手したユーザの指示により、携帯電話機２３の撮影部が当該商品に付与された二次元コードを撮影することで（Ｓ１０２）、二次元コードの画像データから当否判断情報が読み取られ（Ｓ１０４）、その当否判断情報が通信網を介して当否判断サーバ２２に送信される（Ｓ１０６）。これにより、当否判断サーバ２２においては、携帯電話機２３から受信した当否判断情報に基づいて景品の当否が判断され（Ｓ１０８，Ｓ１１０）、その判断結果を示す当否結果情報がユーザの携帯電話機２３に送信される（Ｓ１１２，Ｓ１１４）。【選択図】  図５
2004227547.tif 000002
【特許請求の範囲】
【請求項１】
撮影手段を有する移動通信端末と、当該移動通信端末と通信網を介して通信可能な当否判断装置とによって、商品に付与された二次元コードが有する当否判断情報に基づいて、当該商品を入手したユーザに景品の当否結果を提供する当否結果提供方法であって、
前記撮影手段が前記二次元コードを撮影する工程と、
前記移動通信端末が前記二次元コードの画像データから前記当否判断情報を読み取る工程と、
前記移動通信端末が前記通信網を介して前記当否判断装置に前記当否判断情報を送信する工程と、
前記当否判断装置が前記当否判断情報を受信する工程と、
前記当否判断装置が前記当否判断情報に基づいて景品の当否を判断する工程と、
前記当否判断装置が、景品の当否の判断結果を示す当否結果情報を、前記通信網を介して前記移動通信端末に送信する工程と、
前記移動通信端末が前記当否結果情報を受信する工程とを備えたことを特徴とする景品の当否結果提供方法。
【請求項２】
撮影手段を有する移動通信端末と、当該移動通信端末と通信網を介して通信可能な当否判断装置とを備え、商品に付与された二次元コードが有する当否判断情報に基づいて、当該商品を入手したユーザに景品の当否結果を提供する当否結果提供システムであって、
前記移動通信端末は、前記撮影手段により前記二次元コードを撮影して、前記二次元コードの画像データから前記当否判断情報を読み取り、前記通信網を介して前記当否判断装置に前記当否判断情報を送信し、
前記当否判断装置は、前記通信網を介して前記移動通信端末から前記当否判断情報を受信して、前記当否判断情報に基づいて景品の当否を判断し、景品の当否の判断結果を示す当否結果情報を、前記通信網を介して前記移動通信端末に送信することを特徴とする景品の当否結果提供システム。
【発明の詳細な説明】
【０００１】
【発明の属する技術分野】
本発明は、缶ビールや缶コーヒー等の商品に付与された二次元コードが有する当否判断情報に基づいて、当該商品を入手したユーザに景品の当否結果を提供する当否結果提供方法及び当否結果提供システムに関する。
【０００２】
【従来の技術】
近年、商品の販売促進のために、景品の応募券等になるラベルが貼り付けられた缶ビールや缶コーヒー等が販売されている。この種のラベルにおいては、ラベル基材の表面に応募方法等が印刷され、ラベル基材の裏面に剥離容易な粘着剤層が設けられている。このようなラベルが貼り付けられた商品を購入したユーザは、ラベルを商品から剥がし、例えば応募ハガキに貼り付けて郵送することで、種々の景品が当たるキャンペーンに参加することができる。そして、応募先において景品の当否が判断され、郵便等によりユーザに景品の当否結果が通知される。このような景品についての当否結果の提供方法は、例えば下記の特許文献１に記載されている。
【０００３】
【特許文献１】
特開２００２−２６８５５７号公報
【０００４】
【発明が解決しようとする課題】
しかしながら、上述したような景品の当否結果提供方法にあっては、商品を購入したユーザは、ラベルを応募ハガキに貼り付けるなど、応募に際して極めて煩雑な手続を取らなければならない。また、応募したユーザに景品の当否結果が通知されるまでに、少なくとも数日は要することになる。
【０００５】
そこで、本発明は、このような事情に鑑みてなされたものであり、商品を入手したユーザに対して、簡単且つ即時に景品の当否結果を提供することのできる当否結果提供方法及び当否結果提供システムを提供することを目的とする。
【０００６】
【課題を解決するための手段】
上記目的を達成するために、本発明に係る景品の当否結果提供方法は、撮影手段を有する移動通信端末と、当該移動通信端末と通信網を介して通信可能な当否判断装置とによって、商品に付与された二次元コードが有する当否判断情報に基づいて、当該商品を入手したユーザに景品の当否結果を提供する当否結果提供方法であって、撮影手段が二次元コードを撮影する工程と、移動通信端末が二次元コードの画像データから当否判断情報を読み取る工程と、移動通信端末が通信網を介して当否判断装置に当否判断情報を送信する工程と、当否判断装置が当否判断情報を受信する工程と、当否判断装置が当否判断情報に基づいて景品の当否を判断する工程と、当否判断装置が、景品の当否の判断結果を示す当否結果情報を、通信網を介して移動通信端末に送信する工程と、移動通信端末が当否結果情報を受信する工程とを備えたことを特徴とする。
【０００７】
また、本発明に係る景品の当否結果提供システムは、撮影手段を有する移動通信端末と、当該移動通信端末と通信網を介して通信可能な当否判断装置とを備え、商品に付与された二次元コードが有する当否判断情報に基づいて、当該商品を入手したユーザに景品の当否結果を提供する当否結果提供システムであって、移動通信端末は、撮影手段により二次元コードを撮影して、二次元コードの画像データから当否判断情報を読み取り、通信網を介して当否判断装置に当否判断情報を送信し、当否判断装置は、通信網を介して移動通信端末から当否判断情報を受信して、当否判断情報に基づいて景品の当否を判断し、景品の当否の判断結果を示す当否結果情報を、通信網を介して移動通信端末に送信することを特徴とする。
【０００８】
上述した景品の当否結果提供方法及び当否結果提供システムによれば、商品を入手したユーザがその商品に付与されている二次元コードを移動通信端末の撮影手段を用いて撮影することで、二次元コードの画像データから当否判断情報が読み取られ、その当否判断情報が通信網を介して当否判断装置に送信される。これにより、当否判断装置においては、移動通信端末から受信した当否判断情報に基づいて景品の当否が判断され、その判断結果を示す当否結果情報がユーザの移動通信端末に送信される。したがって、商品を入手したユーザに対し、簡単且つ即時に景品の当否結果を提供することが可能になる。
【０００９】
【発明の実施の形態】
以下、図面と共に、本発明に係る景品の当否結果提供方法及び当否結果提供システムの好適な実施形態について詳細に説明するが、最初に、商品に対する二次元コードの付与形態について説明する。
【００１０】
図１に示すように、ラベル１は、商品である缶コーヒーの金属缶Ｃの側面に貼り付けられるものである。このラベル１は、図２に示すように、金属缶Ｃの側面に貼り付けられる矩形状の第１のラベル基材２を有し、この第１のラベル基材２の表面２ａには、第１のラベル基材２とほぼ同形状の第２のラベル基材３が貼り付けられている。これらのラベル基材２，３は一体的に形成され、折曲げ部４で２つ折りにされることで貼り合わされている。
【００１１】
これらのラベル基材２，３は、例えば、ポリプロピレンフィルムやポリエステルフィルム等、種々の合成樹脂フィルムや合成紙によって形成することができる。ラベル基材２，３の材料としては、「ＹＵＰＯ（ユポ）」（登録商標）を含む。また、第１のラベル基材２の裏面２ｂには、金属缶Ｃの側面に貼り付けるための粘着剤層（図示せず）が設けられており、この粘着剤層は、例えば、アクリル系粘着剤、ビニル系粘着剤、ゴム系粘着剤等の感圧接着剤によって形成することができる。
【００１２】
第２のラベル基材３の表面３ａには、缶コーヒーに関する情報であるバーコード６が印刷されている。このバーコード６は、缶コーヒーの製造元を示すメーカ情報や、缶コーヒーの種類を示すアイテム情報等を含んでいる。
【００１３】
また、図３に示すように、第１のラベル基材２の表面２ａには、水平方向及び垂直方向に情報を有するシンボルコードである二次元コード７と、この二次元コード７についてのユーザに対する説明とが印刷されている。この二次元コード７は、後述する当否判断サーバにおいて所定の景品についての当否を判断するための当否判断情報や、その当否判断サーバのロケーション情報であるＵＲＬ（Ｕｎｉｆｏｒｍ  Ｒｅｓｏｕｒｃｅ  Ｌｏｃａｔｏｒ）情報を含んでいる。
【００１４】
なお、二次元コード７は、読み取り精度を向上させるために、白色と黒色との２色で構成することが好ましい。また、このラベル１では、種類の異なる二次元コード７が２つ印刷されているが、二次元コード７は、１つであってもよいし、或いは３つ以上であってもよい。
【００１５】
さらに、第１のラベル基材２の表面２ａにおいて、二次元コード７の周囲には余白部８が設けられている。したがって、缶コーヒーを購入したユーザが二次元コード７を露出させるべく第２のラベル基材３を剥がす際に爪等が第１のラベル基材２に引っ掛けられても、余白部８だけが歪んで、二次元コード７が歪むようなことが防止される。
【００１６】
また、第２のラベル基材３の裏面３ｂにおいて、ラベル基材２，３を貼り合わせた際に余白部８に対向する部分のうち、折曲げ部４の反対側の縁部には、折曲げ部４に沿って延在する粘着剤層９（図３の梨地領域）が設けられている。この粘着剤層９によってラベル基材２，３は貼り合わされた状態で保持され、二次元コード７は、第２のラベル基材３によって覆われることになる。このように、余白部８に対向する部分に粘着剤層９が設けられているため、第１のラベル基材２から第２のラベル基材３を剥がしたときに粘着剤層９の一部が第１のラベル基材２側に残っても、残った粘着剤が二次元コード７に付着することがない。
【００１７】
なお、粘着剤層９も、第１のラベル基材２の裏面２ｂに形成された粘着剤層と同様に、例えば、アクリル系粘着剤、ビニル系粘着剤、ゴム系粘着剤等の感圧接着剤によって形成することができる。
【００１８】
さらに、第２のラベル基材３において、折曲げ部４の反対側の隅部には剥離起点部１１が設けられている。この剥離起点部１１は、例えば三角形状のプラスチック片を第２のラベル基材３の隅部に貼り付けるなどして、第２のラベル基材３より硬い材質とされている。このような剥離起点部１１を設けることで、缶コーヒーを購入したユーザは第１のラベル基材２から第２のラベル基材３を容易に剥がすことができる。これにより、第１のラベル基材２が破損されて二次元コード７が読み取り不能となるような事態が防止される。なお、このような観点から、剥離起点部１１の裏面には粘着剤層９を及ばせないことが好ましい。
【００１９】
次に、景品の当否結果提供システムについて、図４を参照して説明する。
【００２０】
同図に示すように、当否結果提供システム２０は、移動通信網やインターネット網からなる通信網２１と、この通信網２１に接続された当否判断サーバ（当否判断装置）２２と、この当否判断サーバ２２と通信網２１を介してデータ通信可能な携帯電話機（移動通信端末）２３とを備えている。
【００２１】
この携帯電話機２３は、ＣＣＤカメラ等の撮影部（撮影手段）２４と、種々の情報を表示する表示部２５と、ユーザが携帯電話機２３を操作するための複数のボタンからなる入力部２６とを有している。なお、当否結果提供システム２０においては、撮影機能を有する機器であれば、ＰＤＡ等、情報通信可能な機器を携帯電話機２３に替えて広く適用可能である。
【００２２】
次に、当否結果提供システム２０で実行される当否結果提供方法について、図５〜図８を参照して説明する。
【００２３】
前提として、上述したラベル１が、第１のラベル基材２と第２のラベル基材３とが貼り合わされた状態で缶コーヒーの金属缶Ｃの側面に貼り付けられているものとする（図１及び図２参照）。このようにラベル１が貼り付けられた缶コーヒーは、例えば店舗に陳列される。そして、その店舗においてユーザが缶コーヒーを購入する際には、店舗側は、ラベル１の第２のラベル基材３の表面３ａに印刷されたバーコード６を利用して、効率良く缶コーヒーを販売することができる。
【００２４】
このようにして缶コーヒーを購入したユーザは、第２のラベル基材３に設けられた剥離起点部１１を摘んだり、ここに爪を引っ掛けたりして、第１のラベル基材２から第２のラベル基材３を剥がす。これにより、第１のラベル基材２の表面２ａに印刷された二次元コード７を露出させることができる（図３参照）。
【００２５】
ここで、ユーザが、二次元コード７の全体が携帯電話機２３の表示部２５内に収まるようにして（図６参照）、携帯電話機２３の入力部２６を介して操作することで、図５に示すように、携帯電話機２３の撮影部２４が二次元コード７を撮影する（ステップＳ１０２）。これにより、携帯電話機２３は、撮影した二次元コード７の画像データから、当否判断サーバ２２において所定の景品についての当否を判断するための当否判断情報や当否判断サーバ２２のＵＲＬ情報を読み取る（ステップＳ１０４）。
【００２６】
ここで、携帯電話機２３は、景品の当否を判断する抽選への参加を求める旨を表示部２５に表示させる（図７参照）。この表示を見たユーザが入力部２６を介して「抽選」を選択することで、携帯電話機２３は、ステップＳ１０４にて読み取ったＵＲＬ情報に基づいて、通信網２１を介して当否判断サーバ２２に対し、ステップＳ１０４にて読み取った当否判断情報を送信する（ステップＳ１０６）。
【００２７】
この当否判断情報を当否判断サーバ２２が受信すると（ステップＳ１０８）、当否判断サーバ２２は、受信した当否判断情報に基づいて、その当否判断情報が所定の景品について当たりであるか外れであるかを判断する（ステップＳ１１０）。そして、当否判断サーバ２２は、ステップＳ１１０における所定の景品についての当否の判断結果を示す当否結果情報を、通信網２１を介して携帯電話機２３に送信する（ステップＳ１１２）。
【００２８】
この当否結果情報を携帯電話機２３が受信すると（ステップＳ１１４）、携帯電話機２３は、受信した当否結果情報に基づいて、所定の景品が当たったか外れたかのいずれかの旨を表示部２５に表示する（図８参照）。
【００２９】
そして、図８に示すように、例えば音源（音楽や携帯電話機の着信メロディを含む）が当たった旨が表示部２５に表示された場合には、この表示を見たユーザが入力部２６を介して「ダウンロードはこちらから」を選択することで、音源を管理するサーバから景品としての音源を即時にダウンロードすることができる。なお、このラベル１には種類の異なる二次元コード７が２つ印刷されているため、ユーザは景品を当てる機会を２度得ることができる。
【００３０】
以上説明したように、当否結果提供システム２０によれば、缶コーヒーを購入したユーザが缶コーヒーの金属缶Ｃに貼り付けられたラベル１の二次元コード７を携帯電話機２３の撮影部２４を用いて撮影することで、二次元コード７の画像データから当否判断情報が読み取られ、その当否判断情報が通信網２１を介して当否判断サーバ２２に送信される。これにより、当否判断サーバ２２においては、携帯電話機２３から受信した当否判断情報に基づいて景品の当否が判断され、その判断結果を示す当否結果情報がユーザの携帯電話機２３に送信される。したがって、缶コーヒーを購入したユーザに対し、簡単且つ即時に景品の当否結果を提供することが可能になる。
【００３１】
本発明は、上記実施形態に限定されるものではない。例えば、上記実施形態は商品が缶コーヒーの場合であったが、本発明に係る景品の当否結果提供方法及び当否結果提供システムは、缶コーヒーに限らず種々の商品に対して適用可能である。また、商品に対する二次元コードの付与形態としては、ラベルを用いずに、例えば、商品自体或いはその包装に対し二次元コードを印刷等により直接記載してもよい。
【００３２】
【発明の効果】
以上説明したように、本発明に係る景品の当否結果提供方法及び当否結果提供システムによれば、商品を入手したユーザに対して、簡単且つ即時に景品の当否結果を提供することが可能になる。
【図面の簡単な説明】
【図１】本発明に係るラベルの一実施形態を示す斜視図である。
【図２】図１に示すラベルにおいて第１のラベル基材と第２のラベル基材とが貼り合わされた状態を示す斜視図である。
【図３】図１に示すラベルにおいて第１のラベル基材から第２のラベル基材が剥がされた状態を示す斜視図である。
【図４】本発明に係る当否結果提供システムの一実施形態を示す概念図である。
【図５】図４に示す当否結果提供システムにおける当否結果提供方法を示す遷移図である。
【図６】図４に示す当否結果提供システムの携帯電話機が二次元コードを撮影する際の表示部を示す図である。
【図７】図４に示す当否結果提供システムの携帯電話機が当否判断情報を読み取った際の表示部を示す図である。
【図８】図４に示す当否結果提供システムの携帯電話機が当否結果情報を受信した際の表示部を示す図である。
【符号の説明】
７…二次元コード、２０…当否結果提供システム、２１…通信網、２２…当否判断サーバ（当否判断装置）、２３…携帯電話機（移動通信端末）、２４…撮影部（撮影手段）。
【図１】
2004227547.tif 000003
【図２】
2004227547.tif 000004
【図３】
2004227547.tif 000005
【図４】
2004227547.tif 000006
【図５】
2004227547.tif 000007
【図６】
2004227547.tif 000008
【図７】
2004227547.tif 000009
【図８】
2004227547.tif 000010